(57)【特許請求の範囲】
【請求項１】
合成樹脂シートから形成され、開口部を有するバケツ本体を備えた釣り用バケツにおいて、
前記バケツ本体の開口部に、その外周領域に水をはね返してこぼさないようにする制水部を有する網蓋と、この網蓋の上方を被覆しバケツ本体の開口部を塞いで水漏れを防止する開閉可能な別体の蓋体とを設けたことを特徴とする釣り用バケツ。
【請求項２】
前記網蓋は、前記バケツ本体に着脱可能に取り付けられることを特徴とする請求項１に記載の釣り用バケツ。
【発明の詳細な説明】
【０００１】
【発明の属する技術分野】
本発明は、魚釣りに際して用いられる釣り用バケツに関する。
【０００２】
【従来の技術】
従来、釣り等に用いられるバケツとして、例えば、実開平６−１７４６８号に開示されているように、開口部に網体を張った構成が知られている。このようなバケツの使用用途としては、生き餌や釣った魚を入れたまま水中につけて生かしておいたり、凍った餌（オキアミ等）の塊を水と共に入れ揺すって溶かすのに用いたり、或いは釣り以外にも、缶飲料、食品等を入れ水中につけて冷やしておいたり、潮干狩りで取った貝を水中につけておく等、様々な態様が考えられる。
【０００３】
しかし、開口部に網を張っただけの構成では、内部に水を入れたまま移動すると、水がはねて、持っている人や、車で移動する場合は車内を濡らしてしまう等の不都合が生じる。
【０００４】
このため、例えば、実公昭５１−６４６５号に開示されているように、開口部内周に、開口中心に向けて突出する水返し片を設け、こぼれようとする水をはね返して外部へ飛び出さないように構成したバケツも知られている。
【０００５】
【発明が解決しようとする課題】
しかし、上記した水返し片だけでは、水のはね返りを確実に防止することはできず、また、水返し片は、容器の内周面に固定されているため、容器内の水を捨てる際、水切れが悪く、また、逆さにして乾かす際も、水が残ってしまい完全に乾くまで時間がかかるという問題がある。
【０００６】
本発明は、上記問題点に基づいて成されたものであり、移動時において、水はねを確実に防止できる釣り用バケツを提供することを目的とする。また、本発明は、更に、水を捨てる際に水切れが良く、乾燥し易い釣り用バケツを提供することを目的とする。
【０００７】
前記課題を解決するために、本発明に係る釣り用バケツは、合成樹脂シートから形成され、開口部を有するバケツ本体を備えており、前記バケツ本体の開口部に、その外周領域に水をはね返してこぼさないようにする制水部を有する網蓋と、この網蓋の上方を被覆しバケツ本体の開口部を塞いで水漏れを防止する開閉可能な別体の蓋体とを設けたことを特徴とする。
【０００８】
上記構成によれば、バケツ本体に水を収容した際、揺れや振動等によって水がはねても、その水は、網蓋の制水部ではね返され外部に漏れ出すことはない。また、網体の上方にある蓋体を閉塞しておくことで、水漏れは確実に防止される。
【０００９】
【発明の実施の形態】
図１乃至図３は、本発明に係る釣り用バケツの一実施の形態を示す図であり、図１は斜視図、図２は平面図、図３は分解斜視図である。
【００１０】
釣り用バケツ１は、略円筒形に形成されたバケツ本体３と、このバケツ本体３の上部開口を塞ぐように配される蓋体（外蓋）１０とを備えている。この場合、バケツ本体３及び蓋体１０は、柔軟性のある素材、例えば、ＥＶＡ，ＰＶＣ，ターポリン等の合成樹脂シートによって形成されており、不使用時に折り畳みできるように構成されている。
【００１１】
前記蓋体１０は、バケツ本体３に対して開閉自在に取り付けられており、ヒンジ部１０ａを基点として、蓋体の外周とバケツ本体の開口縁部に略３６０°に亘って配設されたファスナーＦ１によって開放／閉塞されるようになっている。
【００１２】
前記バケツ本体３の外周には、略対角上にロープを係止できるように一対の係止部４が設けられており、ここにロープを取り付けることで、水を汲み上げ易いようになっている。また、バケツ本体の外周には、ポケット５が設けられており、魚を生かしておくのに用いられるポンプ等を収容できるようになっている。
【００１３】
バケツ本体３の内周面の上方には、全周に亘って配される円板状の中蓋（網蓋）２０が設けられている。この中蓋２０は、メッシュ部２０ａと制水部２０ｂを備えており、メッシュ部２０ａを介して水を出し入れでき、制水部２０ｂによってバケツ本体内に収容された水をはね返して外にこぼさないようにしている。この場合、制水部２０ｂは、図３に示すように、円板状の中蓋２０の外周領域に亘って一体的に形成しておくことが好ましく、このような位置に形成することで、周辺領域からあふれ出やすい水を効果的に抑制することが可能となる。また、中蓋２０の中央部分には、略直径方向にファスナーＦ２が設けられており、このファスナーＦ２を開放することで、バケツ本体内に魚や物等が出し入れし易いように構成されている。
【００１４】
上記構成において、制水部２０ｂの幅は、水面の乱れによる水はねを外蓋１０にはね上がらないように制するのに十分な幅があれば良く、メッシュ部２０ａの大きさは、バケツ全体を水中に水没させた時、十分な通水が確保できる程度あれば良い。また、ファスナーＦ２の長さは、バケツ本体３に入れた魚や物を自由に取り出せることを考慮して定められ、外蓋１０と中蓋２０との間隔は、上述の水漏れが発生しない程度に規定しておけば良い。また、中蓋２０についても、ＥＶＡ，ＰＶＣ，ターポリン等の柔軟性のある素材で形成することが好ましく、これにより、バケツ全体の折り畳みに影響を与えないようにすることができる。
【００１５】
また、前記中蓋２０は、バケツ本体３に対して着脱自在に構成することが好ましい。すなわち、中蓋２０の外周とバケツ本体３の内周面に、それぞれファスナーＦ３を配設しておくことで、中蓋２０を着脱自在にすることができる。これにより、バケツ本体の水を捨てる際に水切れが良くなると共に、バケツを逆さにして乾かすときに、早く乾燥することができるようになる。
【００１６】
なお、図に示す構成では、中蓋全体がバケツ本体に対して着脱可能に構成されているが、中蓋２０は、外蓋１０のように、ヒンジで取り付けてバケツ本体から外れないようにしても良い。この際、ヒンジは中蓋の縁部の一部に取り付くため、中の水をこぼす際に邪魔になることはない。
【００１７】
また、図に示した構成では、各部に配設された着脱手段は、ファスナーＦ１〜Ｆ３によって構成したが、それ以外に、面ファスナー、ボタン、ホック等で代用することも可能である。また、バケツ本体３の形状は、円筒形以外に、方形にする等、適宜変形可能である。
【００１８】
上述した構成の釣り用バケツによれば、図４に示すように、バケツ本体内に水を収容した際、揺れ、振動等により水面が乱れても、中蓋２０の外周領域に設けられた制水部２０ｂが水はねを効果的に抑制するため、開口部から水がこぼれることを防止できる。この場合、蓋体１０を閉塞しておくことで、水漏れを確実に防止することができる。また、制水部２０ｂは、中蓋２０と一体的に設けられているため、バケツ本体の内部に突起が無くなり、バケツ本体内の物や魚等の収納性、バケツ内の水を捨てる場合の水切れを損なうこともない。
【００１９】
また、全体的に柔軟性を有する素材で形成されているため、折り畳んで持ち運びに便利となり、また、全体構造が簡単であるため、生産コストも安くなる。
【００２０】
以上、本発明の実施の形態について説明したが、本発明は、上述した実施の形態に限定されることは無く、種々変形することが可能である。例えば、中蓋２０については、制水部２０ｂを形成する位置、その大きさは適宜変形することができ、制水部についても部分的に孔を形成する等、その構成は適宜変形することが可能である。
【００２１】
【発明の効果】
本発明の釣り用バケツによれば、制水部を有する網蓋で水を出し入れできると共に、水を収容した際、揺れ、振動等が生じても、水はねを確実に防止することができる。また、蓋体を閉塞しておくことで水漏れを確実に防止することができる。さらに、本発明の釣り用バケツによれば、中蓋を着脱可能にしたことで、水を捨てる際に水切れが良く、乾燥し易い構成となる。
【図面の簡単な説明】
【図１】本発明に係る釣り用バケツの一実施の形態を示す斜視図。
【図２】図１に示した釣り用バケツの平面図。
【図３】図１に示した釣り用バケツの分解斜視図。
【図４】図２のＡ−Ａ線に沿った断面図であり、制水部によって、収容した水をはね返す状態を示す図。
【符号の説明】
１  釣り用バケツ
３  バケツ本体
１０  蓋体（外蓋）
２０  中蓋（網蓋）
２０ａ  メッシュ部
２０ｂ  制水部
Ｆ１〜Ｆ３  ファスナー
【図１】
0003736834.tif 000002
【図２】
0003736834.tif 000003
【図３】
0003736834.tif 000004
【図４】
0003736834.tif 000005